(57)【要約】【課題】貸出操作又は返却操作を並列に処理することができる貸出システムを提供する。【解決手段】会員ＩＤ及び貸出物ＩＤを左読取部２００又は右読取部３００で読み取り、貸出データを記憶して貸出物を管理する貸出システムにおいて、左右それぞれに会員操作位置（不図示）を設け、会員操作位置ごとに、左読取部２００又は右読取部３００と、左読取部２００又は右読取部３００に対応して操作ガイドを表示する表示部１０１と、を備える。【選択図】図３
2011022858.tif 000002
【特許請求の範囲】
【請求項１】
会員ＩＤ及び貸出物ＩＤを読取部で読み取り、貸出データを記憶して貸出物を管理する貸出システムにおいて、
左右それぞれに会員操作位置を設け、前記会員操作位置ごとに、前記読取部と、前記読取部に対応して操作ガイドを表示する画面と、
を備えることを特徴とする貸出システム。
【請求項２】
前記左右の画面を制御する制御部を納めた本体と、
前記左右の画面が設けられた１つの表示器と、
を備えることを特徴とする請求項１に記載の貸出システム。
【請求項３】
第１の前記読取部が前記会員ＩＤ及び前記貸出物ＩＤを読み取った際には貸出日時を記憶し、第２の前記読取部が前記貸出物ＩＤを読み取った際には返却日時を記憶することを特徴とする請求項１又は請求項２に記載の貸出システム。
【請求項４】
前記読取部が前記貸出物ＩＤを読み取った際に、当該貸出物ＩＤに該当する前記貸出物の記憶データに基づいて貸出日時又は返却日時のいずれかを選択し、現在日時に書き替えることを特徴とする請求項１又は請求項２に記載の貸出システム。
【請求項５】
精算機能を備えることを特徴とする請求項１から請求項４のいずれかに記載の貸出システム。
【発明の詳細な説明】
【技術分野】
【０００１】
本発明は、貸出物の貸出と返却について管理する貸出システムに関する。
【背景技術】
【０００２】
貸出物を貸し出す店舗や学校等では、貸出物を多く保管するために、広い保管スペースを確保し、その代わりに貸出システム（装置）を設置するためのスペースを狭くせざるを得ないことがある（特許文献１参照）。
【先行技術文献】
【特許文献】
【０００３】
【特許文献１】特開２００８−９６６７号公報
【発明の概要】
【発明が解決しようとする課題】
【０００４】
上記の場合、貸出システムの設置台数を多くすることができない。しかしながら、貸出物の貸出又は返却を行うため、例えば学校では、授業を終えた学生が一斉に貸出システムの前に並ぶことがある。このような場合、設置台数の少ない貸出システムでは、貸出操作又は返却操作の処理が追いつかず、貸出操作又は返却操作の順番を待つ学生の長い行列が貸出システムの前に出来てしまうことがあった。
【０００５】
本発明は、前記の点に鑑みてなされたものであり、貸出操作又は返却操作を並列に処理することができる貸出システムを提供する。
【課題を解決するための手段】
【０００６】
本発明は、上記の課題を解決するためになされたものであり、会員ＩＤ及び貸出物ＩＤを読取部で読み取り、貸出データを記憶して貸出物を管理する貸出システムにおいて、
左右それぞれに会員操作位置を設け、前記各会員操作位置に、前記読取部と、前記読取部に対応して操作ガイドを表示する画面と、を備えることを特徴とする貸出システムである。
【０００７】
また本発明は、前記左右の画面を制御する制御部を納めた本体と、前記左右の画面が設けられた１つの表示器と、を備えることを特徴とする貸出システムである。
【０００８】
また本発明は、第１の前記読取部が前記会員ＩＤ及び前記貸出物ＩＤを読み取った際には貸出日時を記憶し、第２の前記読取部が前記貸出物ＩＤを読み取った際には返却日時を記憶することを特徴とする貸出システムである。
【０００９】
また本発明は、前記読取部が前記貸出物ＩＤを読み取った際に、当該貸出物ＩＤに該当する前記貸出物の記憶データに基づいて貸出日時又は返却日時のいずれかを選択し、現在日時に書き替えることを特徴とする貸出システムである。
【００１０】
また本発明は、清算機能を備えることを特徴とする貸出システムである。
【発明の効果】
【００１１】
本発明によれば、貸出システムを貸出操作又は返却操作する会員の位置（立ち位置等）を貸出システムの左右それぞれに設け、会員操作位置ごとに、会員ＩＤ及び貸出物ＩＤの読取部と、操作ガイドを表示する画面とを備えるので、２人の会員が貸出システムを並列に操作することができ、会員の行列を効率よく減らすことができる。
【００１２】
また、複数の会員操作位置を設けても、貸出システムの制御部を共通化できるため、貸出システムを小型化で安価にすることができる。
【００１３】
また、左右それぞれに設けられた読取部の一方を貸出用に、他方を返却用にすることで、貸出又は返却を選択する会員の操作を不要にでき、貸出システムのさらなる処理速度の向上ができる。
【００１４】
また、読取部が貸出物ＩＤを読み取った際に、貸出物ＩＤに該当する貸出物の記憶データに基づいて貸出日時又は返却日時のいずれかを貸出システムが選択し、現在日時に書き替えることで、貸出又は返却を選択する会員の操作を不要にでき、貸出システムのさらなる処理速度の向上ができる。
【図面の簡単な説明】
【００１５】
【図１】本発明の第１の実施形態における貸出システム１００が備えられた貸出部屋の配置図である。
【図２】本発明の第１の実施形態における貸出システム１００、左読取部２００、及び右読取部３００の正面図である。
【図３】本発明の第１の実施形態における貸出システムの構成を示すブロック図である。
【図４】本発明の第１の実施形態における表示部１０１の表示例を示す図である。
【図５】本発明の第１の実施形態における会員ファイルの構成例を示す表である。
【図６】本発明の第１の実施形態における貸出物ファイルの構成例を示す表である。
【図７】本発明の第１の実施形態における貸出システムの動作を示すフローチャートである。
【図８】本発明の第１の実施形態における操作ガイド１０の表示例を示す図である。
【図９】本発明の第１の実施形態における操作ガイド２０の表示例を示す図である。
【図１０】本発明の第１の実施形態における操作ガイド３０の表示例を示す図である。
【図１１】本発明の第１の実施形態における貸出完了表示の表示例を示す図である。
【図１２】本発明の第１の実施形態における返却表示の表示例を示す図である。
【図１３】本発明の第２の実施形態における貸出システムの動作を示すフローチャートである。
【図１４】本発明の第２の実施形態における表示部１０１の表示例を示す図である。
【図１５】本発明の第３の実施形態における貸出システムの動作を示すフローチャートである。
【発明を実施するための形態】
【００１６】
[第１の実施形態]
本発明の第１の実施形態について図面を参照して詳細に説明する。
図１は、本発明の第１の実施形態における貸出システムが備えられた貸出部屋の配置図である。例えば、会員である学生が週１回来校して授業を受け、その帰りにスクール内の貸出部屋にて予習及び復習用のＤＶＤ（Ｄｉｇｉｔａｌ Ｖｅｒｓａｔｉｌｅ Ｄｉｓｃ）を借り、次週来校した際にそのＤＶＤを返却する、という運用のスクールにおける貸出部屋であってもよい。貸出部屋は、貸出システムとして、貸出装置１００と、左読取部２００と、右読取部３００を備える。また、貸出部屋には、貸出物（不図示）を備える棚５００ａ〜５００ｅが配置されてもよい。なお、貸出装置１００と左読取部２００と右読取部３００は、テーブル４００の上に配置されてもよい。
【００１７】
貸出物を借りる際、会員（顧客）は所定の棚から貸出物を取り出した後に、貸出装置１００で貸出操作を行う。一方、貸出物を返却する際、会員は貸出装置１００で返却操作を行った後、所定の棚に貸出物を戻す。
【００１８】
貸出装置１００の左近傍には、左読取部２００及び会員操作位置３がある。また、貸出装置１００の右近傍には、右読取部３００及び会員操作位置４がある。ここで、会員操作位置とは、貸出システムを貸出操作又は返却操作する会員のための位置（立ち位置等）である。
【００１９】
図２は、本発明の第１の実施形態における貸出装置１００、左読取部２００、及び右読取部３００の正面図である。貸出装置１００は、左右に独立した画面を表示する表示部（表示器）１０１を備える。
【００２０】
会員操作位置３にいる会員１ａは、表示部１０１の左画面及び左読取部２００を操作する。一方、会員操作位置４にいる会員２ａは、表示部１０１の右画面及び右読取部３００を操作する。なお、会員１ａ及び会員２ａの後ろには、他の会員（図１において、会員１ｂ〜１ｃ、会員２ｂ〜２ｃ）が２列に並んでいてもよい。
【００２１】
図３は、本発明の第１の実施形態における貸出システムの構成を示すブロック図である。貸出システムの貸出装置１００は、ＣＰＵ（Ｃｅｎｔｒａｌ Ｐｒｏｃｅｓｓｉｎｇ Ｕｎｉｔ）１０２と、表示部１０１と、ＲＯＭ１０３と、ＲＡＭ１０２と、表示部１０１を備える。また、貸出システムの左読取部２００及び右読取部３００は、それぞれＣＰＵ１０２と、表示部１０１と、ＲＯＭ１０３と、ＲＡＭ１０２と、表示部１０１に接続される。
【００２２】
左読取部２００は、スキャナであって、会員カード（不図示）及び貸出物（不図示）に設けられたバーコード等を読み取り、このバーコード等から読み取った会員ＩＤ及び貸出物ＩＤをＣＰＵ１０２に送信する。右読取部３００も同様である。
【００２３】
表示部１０１は、例えば液晶タッチパネルであり、操作ガイド及び操作ボタン（操作キー）を表示し、会員による操作ボタンの押下操作を検出する。図４は、本発明の第１の実施形態における表示部１０１の表示例を示す図である。表示部１０１は、左右に独立した画面を表示し、左画面に会員１ａ（顧客１）のための操作ガイド及び操作ボタンを表示し、右画面に会員２ａ（顧客２）のための操作ガイド及び操作ボタンを表示する。
【００２４】
会員１ａ（顧客１）が、左画面の操作ボタン「貸出」を押下操作した場合、表示部１０１は、左画面の操作ボタン「貸出」が押下操作されたことを示す信号（以下、「貸出操作信号」と称する）をＣＰＵ１０２に出力する。一方、会員１ａ（顧客１）が、左画面の操作ボタン「返却」を押下操作した場合、表示部１０１は、左画面の操作ボタン「返却」が押下操作されたことを示す信号（以下、「返却操作信号」と称する）をＣＰＵ１０２に出力する。会員２ａ（顧客２）が右画面の操作ボタンを押下操作した場合も同様である。
【００２５】
ＲＯＭ１０３はプログラムを記憶し、そのプログラムをＣＰＵ１０２の要求に応じてＣＰＵ１０２及びＲＡＭ１０４に出力する。
【００２６】
ＣＰＵ１０２は、中央処理装置であり、ＲＯＭ（Ｒｅａｄ Ｏｎｌｙ Ｍｅｍｏｒｙ）１０３からプログラムを取得し、そのプログラムに従って処理を実行する。ＣＰＵ１０２は、左読取部２００及び右読取部３００から取得した会員ＩＤ及び貸出物ＩＤを、会員ファイル（図５）及び貸出物ファイル（図６）としてＲＡＭ（Ｒａｎｄｏｍ Ａｃｃｅｓｓ Ｍｅｍｏｒｙ）１０４に記憶させる。また、ＣＰＵ１０２は、会員ファイル及び貸出物ファイルをＲＡＭ１０４から取得する。さらに、ＣＰＵ１０２は、貸出操作信号及び返却操作信号を表示部１０１から取得し、これらの信号に応じて、貸出処理又は返却処理を実行する。ＣＰＵ１０２の動作の詳細については、図７で後述する。
【００２７】
ＲＡＭ１０４は、ＣＰＵ１０２から会員ＩＤ及び貸出物ＩＤを取得し、会員ファイル及び貸出物ファイルとして記憶する。また、ＲＡＭ１０４は、会員ファイル及び貸出物ファイルをＣＰＵ１０２の要求に応じてＣＰＵ１０２に出力する。
【００２８】
図５は、本発明の第１の実施形態における会員ファイルの構成例を示す表である。会員ファイルは、少なくとも会員ＩＤと、会員の氏名を対応付けたデータファイルである。なお、会員ファイルには、会員の連絡先データが含まれていてもよい。
【００２９】
図６は、本発明の第１の実施形態における貸出物ファイルの構成例を示す表である。貸出物ファイルは、少なくとも貸出物ＩＤと、貸出日時と、返却日時と、会員ＩＤを対応付けたデータファイルである。ここで、貸出物が返却されていない場合、返却日時欄は空欄である。なお、貸出物ファイルには、貸出物の名称データが含まれていてもよい。
【００３０】
通信部１０５は、インターネット経由で外部のホストサーバ（不図示）に接続され、ＣＰＵ１０２から取得したデータをホストサーバに送信する。また、通信部１０５は、外部のホストサーバ（不図示）から取得したデータをＣＰＵ１０２に送信する。このホストサーバは、例えばＡＳＰ（アプリケーション・サービス・プロバイダ）事業者が有していてもよい。このように、ホストサーバ（不図示）にデータを記憶させれば、貸出物の管理者は、複数の箇所に設置された各貸出システムを一括管理することが容易となる。
【００３１】
次に、貸出システムの動作を説明する。
図７は、本発明の第１の実施形態における貸出システムの動作を示すフローチャートである。以下、表示部１０１の左画面の表示について説明する。なお、ＣＰＵ１０２は、右画面についても同様の処理を行う。
【００３２】
ＣＰＵ１０２は、ＲＯＭ１０３からプログラムを取得し、表示部１０１に操作ガイド１０を表示させる（ステップＳ１）。表示部１０１には、操作ガイド１０として、「会員カードを読ませて下さい！」表示と、操作ボタン「貸出」と、操作ボタン「返却」が表示される。図８は、本発明の第１の実施形態における操作ガイド１０の表示例を示す図である。
【００３３】
次に、ＣＰＵ１０２は、左読取部２００から会員ＩＤを取得したか否かを判定する（ステップＳ２）。会員１ａ（顧客１）が会員カード（不図示）を左読取部２００にかざした場合、左読取部２００は、その会員カードに設けられたバーコード等から会員ＩＤを読取り、読み取った会員ＩＤをＣＰＵ１０２に出力する。これにより、ＣＰＵ１０２は、左読取部２００から会員ＩＤを取得したと判定する（ステップＳ２−ＹＥＳ）。
【００３４】
次に、ＣＰＵ１０２は、表示部１０１に操作ガイド２０を表示させる（ステップＳ３）。表示部１０１には、操作ガイド２０として、「貸出物のＩＤを読ませて下さい！」表示と、操作ボタン「貸出」と、操作ボタン「返却」が表示される。図９は、本発明の第１の実施形態における操作ガイド２０の表示例を示す図である。
【００３５】
次に、ＣＰＵ１０２は、左読取部２００から貸出物ＩＤを取得したか否かを判定する（ステップＳ４）。会員１ａ（顧客１）が貸出物（不図示）を左読取部２００にかざした場合、左読取部２００は、その貸出物に設けられたバーコード等から貸出物ＩＤを読取り、読み取った貸出物ＩＤをＣＰＵ１０２に出力する。これにより、ＣＰＵ１０２は、左読取部２００から貸出物ＩＤを取得したと判定する（ステップＳ４−ＹＥＳ）。
【００３６】
次に、ＣＰＵ１０２は、表示部１０１に操作ガイド３０を表示させる（ステップＳ５）。表示部１０１には、操作ガイド３０として、「下記のボタンを選択して下さい！」表示と、操作ボタン「貸出」と、操作ボタン「返却」が表示される。図１０は、本発明の第１の実施形態における操作ガイド３０の表示例を示す図である。
【００３７】
次に、ＣＰＵ１０２は、表示部１０１に表示された操作ボタン「貸出」（貸出キー）が押下操作されたか否かを判定する（ステップＳ６）。会員１ａ（顧客１）が操作ボタン「貸出」を押下操作した場合、表示部１０１は、左画面の貸出操作信号をＣＰＵ１０２に出力する。これにより、ＣＰＵ１０２は、左画面の操作ボタン「貸出」が押下操作されたと判定する（ステップＳ６−ＹＥＳ）。
【００３８】
次に、ＣＰＵ１０２は、読み取った貸出物ＩＤと、貸出日時（現在日時）と、読み取った会員ＩＤを貸出物ファイルに記録して、その貸出物ファイルをＲＡＭ１０４に記憶させる（ステップＳ７）。さらに、ＣＰＵ１０２は、読み取った貸出物ＩＤの返却日時の欄をクリアして貸出物ファイルをＲＡＭ１０４に記憶させる（ステップＳ８）。
【００３９】
次に、ＣＰＵ１０２は、表示部１０１に「貸出完了です。」（貸出完了）を表示させ（ステップＳ９）、ステップＳ１に戻る。図１１は、本発明の第１の実施形態における貸出完了表示の表示例を示す図である。これにより、貸出処理（貸出操作）が終了する。
【００４０】
一方、ステップＳ６において、操作ボタン「貸出」が押下操作されたと判定されなかった場合（ステップＳ６−ＮＯ）、ＣＰＵ１０２は、読み取った貸出物ＩＤの返却日時の欄に現在時刻を記録した貸出物ファイルをＲＡＭ１０４に記憶させる（ステップＳ１０）。
【００４１】
次に、ＣＰＵ１０２は、表示部１０１に「貸出物を返却して下さい。」（返却表示）を表示させ（ステップＳ１１）、ステップＳ１に戻る。図１２は、本発明の第１の実施形態における返却表示の表示例を示す図である。これにより、返却処理（返却操作）が終了する。
【００４２】
ステップＳ２において、左読取部２００から会員ＩＤを取得したと判定されなかった場合（ステップＳ２−ＮＯ）、ＣＰＵ１０２は、ステップＳ１に戻る。また、ステップＳ４において、左読取部２００から貸出物ＩＤを取得したと判定されなかった場合（ステップＳ４−ＹＥＳ）、ＣＰＵ１０２は、ステップＳ３に戻る。
【００４３】
このようにすれば、貸出システムは、左右の読取部と、操作ガイドを表示する左右の画面とを備えるので、２人の会員が貸出システムを並列に操作することができ、会員の行列を効率よく減らすことができる。
【００４４】
[第２の実施形態]
本発明の第２の実施形態について図面を参照して詳細に説明する。
第２の実施形態は、第１の実施形態と異なり、左読取部２００と、表示部１０１の左画面は貸出操作専用である。同様に、右読取部３００と、表示部１０１の右画面は返却操作専用である。以下、第１の実施形態との相違点について説明する。
【００４５】
図１３は、本発明の第２の実施形態における貸出システムの動作を示すフローチャートである。まず、貸出システムの貸出処理を説明する。左読取部２００からデータを取得した場合、又は表示部１０１の左画面からの信号を取得した場合に、ＣＰＵ１０２は、図１３（Ａ）のフローチャートに示す貸出処理を実行する。
【００４６】
図１３（Ａ）のステップＳａ１〜Ｓａ４は、図７のステップＳ１〜Ｓ４に対応する。ＣＰＵ１０２は、ＲＯＭ１０３からプログラムを取得し、表示部１０１に操作ガイド４０を表示させる（ステップＳａ１）。表示部１０１には、操作ガイド４０として、「会員カードを読ませて下さい！」が表示される。図７の操作ガイド１０との相違点は、操作ボタン「貸出」と、操作ボタン「返却」が表示されないことである。なお、表示部１０１の左画面には、「貸出」と常時表示されていてもよい。
【００４７】
ＣＰＵ１０２は、表示部１０１に操作ガイド５０を表示させる（ステップＳａ３）。表示部１０１には、操作ガイド５０として、「貸出物のＩＤを読ませて下さい！」が表示される。図７の操作ガイド２０との相違点は、操作ボタン「貸出」と、操作ボタン「返却」が表示されないことである。
【００４８】
図１３（Ａ）のステップＳａ５〜Ｓａ７は、図７のステップＳ７〜Ｓ９と同様である。
【００４９】
次に、貸出システムの返却処理を説明する。右読取部３００からデータを取得した場合、又は表示部１０１の右画面から信号を取得した場合に、ＣＰＵ１０２は、図１３（Ｂ）のフローチャートに示す返却処理を実行する。ここで、図１３（Ｂ）のステップＳｂ１〜Ｓｂ４は、図１３（Ａ）のステップＳａ１〜Ｓａ４と同様である。また、図１３（Ｂ）のステップＳｂ５及び６は、図７のステップＳ１０及び１１と同様である。なお、表示部１０１の右画面には、「返却」と常時表示されていてもよい。
【００５０】
さらに、上述の操作ガイド以外の操作ガイドが、表示部１０１に表示されてもよい。図１４は、本発明の第２の実施形態における表示部１０１の表示例を示す図である。例えば、図１４の左画面に示すように、会計を促す表示「全ての商品の登録が終わりましたら、画面の会計ボタンを押し、お会計に進んでください。」と、貸出物の一覧「ＤＶＤ１，ＤＶＤ２，…」が表示されてもよい。また、例えば、図１４の右画面に示すように、延滞か否かを示す表示「返却されたＤＶＤの延滞は有りません  右下の完了をタッチして下さい！」と、貸出物の一覧「ＤＶＤ８８８，ＤＶＤ９９９」が表示されてもよい。
【００５１】
このようにすれば、貸出システムは、左右の読取部と、操作ガイドを表示する左右の画面とを備えるので、２人の会員が貸出システムを並列に操作することができ、さらに処理を簡略化して、会員の行列を効率よく減らすことができる。
【００５２】
[第３の実施形態]
本発明の第３の実施形態について図面を参照して詳細に説明する。
第３の実施形態におけるＣＰＵ１０２は、貸出物ＩＤと返却日時データとに基づいて、貸出処理又は返却処理の実行を切り替える。以下、第１の実施形態との相違点について説明する。
【００５３】
図１５は、本発明の第３の実施形態における貸出システムの動作を示すフローチャートである。ステップＳｃ１〜Ｓｃ４は、図７のステップＳ１〜Ｓ４に対応する。ＣＰＵ１０２は、ＲＯＭ１０３からプログラムを取得し、表示部１０１に操作ガイド４０を表示させる（ステップＳｃ１）。表示部１０１には、操作ガイド４０として、「会員カードを読ませて下さい！」が表示される。
【００５４】
ＣＰＵ１０２は、表示部１０１に操作ガイド５０を表示させる（ステップＳｃ３）。表示部１０１には、操作ガイド５０として、「貸出物のＩＤを読ませて下さい！」が表示される。
【００５５】
ＣＰＵ１０２は、返却日時データが有効か否か（返却日時データがクリアされているか否か）を判定する（ステップＳｃ５）。例えば、図６において、貸出物ＩＤ「１２３４５７」の返却日時データは、クリアされておらず、有効なデータが記録されている。このように返却日時データが有効である場合（ステップＳｃ５−ＹＥＳ）、ＣＰＵ１０２は、貸出処理を実行するためステップＳｃ６に進む。
【００５６】
例えば、図６において、貸出物ＩＤ「１２３４５６」の返却日時データは、クリアされており、無効なデータが記録されている。このように返却日時データが有効でない場合（ステップＳｃ５−ＮＯ）、ＣＰＵ１０２は、返却処理を実行するためステップＳｃ９に進む。
【００５７】
ステップＳｃ６〜Ｓｃ８は、図７のステップＳ７〜Ｓ９と同様である。また、ステップＳｃ９及び１０は、図７のステップＳ１０及び１１と同様である。
【００５８】
なお、会員の操作ミス等により、読取部が同一の貸出物を連続して読み取った場合に、ＣＰＵ１０２は、エラー処理を行うようにしてもよい。
【００５９】
このようにすれば、貸出システムは、貸出又は返却に応じて操作ガイドを表示する左右の画面を備えるので、２人の会員が貸出システムを並列に操作することができ、さらに処理を簡略化して、会員の行列を効率よく減らすことができる。
【００６０】
以上、この発明の実施形態について図面を参照して詳述してきたが、具体的な構成はこの実施形態に限られるものではなく、この発明の要旨を逸脱しない範囲の設計等も含まれる。
【００６１】
例えば、表示部の画面は３つ以上に分けられてもよい。また、読取部は３つ以上備えられていてもよい。
【００６２】
また例えば、貸出システムの管理者（不図示）が貸出システムを操作し、動作モードを設定するようにしてもよい。ＣＰＵ１０２は、第１及び第２の実施形態のプログラムのうち、どちらのプログラムを動作させるかについて、この動作モードに基づいて処理を切り替える（選択できる）ようにしてもよい。
【００６３】
また例えば、返却操作において、会員ＩＤの読み取りは省略されてもよい。
【００６４】
また例えば、同一会員の貸出操作又は返却操作を区別するための開始ボタン（開始キー）及び終了ボタン（終了キー）を設け、開始ボタンが押下操作されてから終了ボタンが押下操作されるまでの間は、貸出物ＩＤの読み取りを連続して行えるようにしてもよい。このようにすれば、会員ＩＤの読み取りを１回で済ませることができ、処理を簡略化することができる。
【００６５】
また例えば、各操作を撮像装置で撮影し、貸出データと対応づけて画像を記憶させてもよい。このようにすれば、不正操作を防止することができる。
【００６６】
また例えば、貸出期間に応じた料金をＣＰＵ１０２が計算し、読取部からクレジットカード又は電子マネーのデータを読み取ることにより、代金清算を可能としてもよい。このようにすれば、貸出システムはレンタルショップで使用されることができる。
【００６７】
また例えば、ＩＤの記録媒体は、バーコードに限らす、ＲＦＩＤ（Ｒａｄｉｏ Ｆｒｅｑｕｅｎｃｙ Ｉｄｅｎｔｉｆｉｃａｔｉｏｎ）でもよい。
【００６８】
また例えば、操作ボタンの押下操作を組み合わせることで、貸出システムの管理者は貸出システムを設定入力待ち状態（設定モード）とし、貸出システムがこの状態で各種設定データを取得するようにしてもよい。
【００６９】
また例えば、表示部１０１の画面には、会員が貸出システムの管理者を呼び出すための呼出キーを設けてもよい。
【００７０】
なお、貸出物が無料で貸し出されている場合、第２の実施形態の会計処理は不用である。
【符号の説明】
【００７１】
１ａ〜１ｃ…会員  ２ａ〜２ｃ…会員  ３及び４…会員操作位置  １００…貸出装置  ２００…左読取部  ３００…右読取部  ４００…テーブル  ５００ａ〜５００ｅ…棚  １０１…表示部  １０２…ＣＰＵ  １０３…ＲＯＭ  １０４…ＲＡＭ  １０５…通信部  
【図１】
2011022858.tif 000003
【図２】
2011022858.tif 000004
【図３】
2011022858.tif 000005
【図４】
2011022858.tif 000006
【図５】
2011022858.tif 000007
【図６】
2011022858.tif 000008
【図７】
2011022858.tif 000009
【図８】
2011022858.tif 000010
【図９】
2011022858.tif 000011
【図１０】
2011022858.tif 000012
【図１１】
2011022858.tif 000013
【図１２】
2011022858.tif 000014
【図１３】
2011022858.tif 000015
【図１４】
2011022858.tif 000016
【図１５】
2011022858.tif 000017